(57)【特許請求の範囲】
【請求項１】
消費財の容器であって、
１つ以上の消費財の周りに包装されたラッパーを含む包装された消費財の束であって、前記ラッパーは、少なくとも一つの担体層と前記担体層の表面に直接貼り付けられる少なくとも一つの導電層とを含む折り畳まれた複数層の層状ブランクを備え、前記少なくとも一つの導電層は、電気エネルギーの供給を無線で受け取るように構成された少なくとも一つの電力伝送受信機コイルを形成する、包装された消費財の束と、
前記包装された消費財の束を含む外側ハウジングと、
前記少なくとも一つの電力伝送受信機コイルに接続されて電気エネルギーの前記供給を受け取る電子装置とを備え、
前記外側ハウジングが、前記包装された消費財の束に面した内部表面を含み、前記電子装置と前記少なくとも一つの電力伝送受信機コイルとの間の接続が前記外側ハウジングの前記内部表面の下にあり、前記電子装置の少なくとも一部分が前記容器の外側から見える、容器。
【請求項２】
前記包装された消費財の束が、前部壁、後部壁、上部壁、底部壁および２つの側壁を含み、前記少なくとも一つの電力伝送受信機コイルが２つまたは３つの壁上に提供される、請求項１に記載の容器。
【請求項３】
前記少なくとも一つの電力伝送受信機コイルが提供される前記壁は向かい合っていない壁である、請求項２に記載の容器。
【請求項４】
前記電子装置が電子発光装置、電気音響装置、電気機械装置のうち少なくとも一つを備える、請求項１〜３のいずれか１項に記載の容器。
【請求項５】
前記少なくとも一つの担体層が、前記少なくとも一つの電力伝送受信機コイルが提供されている第一の表面を持ち、前記第一の表面がＩＳＯ  ８７９１−４に従い測定して２マイクロメートル未満のパーカプリントサーフ粗さを持つ、請求項１〜４のいずれか１項に記載の容器。
【請求項６】
前記消費財の束が複数の喫煙物品を含む、請求項１〜５のいずれか１項に記載の容器。
【請求項７】
消費財の容器上に提供された電子装置を作動させるためのシステムであって、前記システムが、
請求項１〜６のいずれか１項に記載の消費財の容器と、
時間的に変化する磁場を発生させるように構成された電力伝送送信機であって、前記時間的に変化する磁場が、前記消費財の容器が前記時間的に変化する磁場内に位置付けられたときに前記少なくとも一つの電力伝送受信機コイル内での電気エネルギーの前記供給を誘発する、システム。
【請求項８】
消費財の容器を形成する方法であって、前記方法が、
少なくとも一つの電力伝送受信機コイルを少なくとも一つの担体層の表面上に直接貼り付けて第一の複数層の層状ブランクを形成する工程であって、前記少なくとも一つの電力伝送受信機コイルが電気エネルギーの供給を無線で受け取るように構成されている、工程と、
前記第一の複数層の層状ブランクを１つ以上の消費財の周りで折り畳んで包装された消費財の束を形成する工程であって、前記折り畳まれた第一の複数層の層状ブランクがラッパーを形成する、工程と、
第二の層状ブランク上に電子装置を提供する工程と、
前記包装された消費財の束の周りに前記第二の層状ブランクを配置して外側ハウジングを形成する工程であって、前記電子装置が、前記少なくとも一つの電力伝送受信機コイルに接続されて、電気エネルギーの前記供給を受け取る、工程とを含む、方法。
【請求項９】
前記少なくとも一つの電力伝送受信機コイルを前記少なくとも一つの担体層の前記表面上に貼り付ける工程が、導電性材料の少なくとも一つの層を前記少なくとも一つの担体層に配置して前記少なくとも一つの電力伝送受信機コイルを形成する工程を含む、請求項８に記載の方法。
【請求項１０】
導電性材料の前記少なくとも一つの層を前記少なくとも一つの担体層の前記表面上に配置する前記工程が、輪転式グラビア印刷、オフセット印刷、フレキソ印刷、インクジェット印刷、スクリーン印刷、箔押し、冷間箔押し、転送金属化、および直接金属化のうち少なくとも一つを含む、請求項９に記載の方法。
【請求項１１】
少なくとも一つの電力伝送受信機コイルを貼り付ける前記工程が、前記少なくとも一つの電力伝送受信機コイルを前記少なくとも一つの担体層の第一の表面に貼り付ける工程を含み、前記第一の表面が、ＩＳＯ  ８７９１−４に従い測定して２マイクロメートル未満のパーカプリントサーフ粗さを持つ、請求項８〜１０のいずれか１項に記載の方法。
【請求項１２】
前記方法が、前記第一の複数層の層状ブランクおよび前記第二の層状ブランクのうち少なくとも一つの上に導電性の接着剤を提供する工程をさらに含み、前記第二の層状ブランクを前記包装された消費財の束の周りに配置する前記工程によって、前記導電性の接着剤が前記少なくとも一つの電力伝送受信機コイルおよび前記電子装置の両方と接触するようになり、前記導電性の接着剤が前記電子装置を前記少なくとも一つの電力伝送受信機コイルに電気的に接続するようになる、請求項８〜１１のいずれか１項に記載の方法。
【請求項１３】
前記包装された消費財の束が前部壁、後部壁、上部壁、底部壁および２つの側壁を含み、前記第一の複数層の層状ブランクが、前記少なくとも一つの電力伝送受信機コイルが２つまたは３つの前記壁上に提供されるように折り畳まれる、請求項８〜１２のいずれか１項に記載の方法。
【請求項１４】
前記少なくとも一つの電力伝送受信機コイルが提供される前記壁は向かい合っていない壁である、請求項１３に記載の方法。
【発明の詳細な説明】
【技術分野】
【０００１】
本発明は、無線給電式電子装置を備えた消費財の容器に関連する。本発明は、容器を製造する方法、および電子装置を動作させるシステムにも関連する。本発明による容器には、紙巻たばこなどの細長い喫煙物品用の容器としての特定の用途がある。
【背景技術】
【０００２】
喫煙物品などの消費財は一般に、ボックスと、容器の後部壁を横切って延びるヒンジ線の周りにボックスに結合されたリッドとを持つヒンジリッド型容器などの、剛直な箱型容器内にパッケージされる。容器は、ラッパー内に包装された１つ以上の消費財を含む内側束を収容しうる。実際、一般に、紙巻たばこパックについては、内側束は紙巻たばこの装填の周りに内側ライナーを折り畳むことにより製造される。
【０００３】
消費財の容器は一般に、製造者が消費者と通信するための限定された数の方法しか提供しない。例えば、一般に、製造者は、容器それ自体または容器内に提供される１つ以上の挿入物のどちらについても、色、テキスト、グラフィック、形状、表面の質感およびこれに類するものに依存して、消費者と通信する。
【０００４】
ＷＯ２００７／０７３５２９  Ａ２号は、マーカーが電磁場によって検出されるようにする磁気共鳴手段を備えた「マーカー」を持つ、紙巻たばこパックについて記載している。マーカーは主に、パックの外側ハウジング上に提供されているが、別の方法として、粘着性のプラスチックラベルによって箔包装材料の外側表面上に貼り付けることもできる。ところが、これは製造工程に複雑さを加えたり、追加的な構成要素の使用が要求されたりすることになりかねない。
【０００５】
そうした容器を成形するための製造機械や工程に大きな修正が要求されることなく、消費財の容器を使用して消費者と通信する新しい手段を提供することが望ましいといえる。
【発明の概要】
【０００６】
本発明の第一の態様によれば、消費財の容器が提供されており、容器は、１つ以上の消費財の周りに包装されたラッパーを含む、包装された消費財の束を備える。ラッパーは、担体層の表面に直接貼り付けられた、少なくとも一つの担体層および少なくとも一つの導電層を含む複数層の折り畳まれた層状ブランクを備えるが、少なくとも一つの導電層は、電気エネルギーの供給を無線で受信するよう構成された少なくとも一つの電力伝送受信機コイルを形成する。容器はさらに、包装された消費財の束を含む外側ハウジングと、少なくとも一つの電力伝送受信機コイルに接続されて電気エネルギーの供給を受ける電子装置とを備える。
【０００７】
「担体層」という用語は、本明細書では、少なくとも一つの導電層が貼り付けられる非導電性材料の層を意味するのに使用される。担体層は、少なくとも一つの導電層を容器内の他の導電性材料から電気的に分離する絶縁層として機能しうる。さらに、または別の方法として、担体層は、構造要素として機能して、１つ以上の消費財の周りに包装されたラッパーの要求される形状および形態を維持しうる。
【０００８】
「導電層」という用語は、本明細書では導電性材料の層を意味するのに使用される。導電層は、個別に形成され担体層に貼り付けられうる。別の方法として、導電層は担体層上に直接形成されうる。
【０００９】
「電力伝送受信機コイル」という用語は、本明細書ではコイルが時間的に変化する磁場内に位置付けられた時に、誘導された電流を導通するように配置された導電性材料のコイルを意味するために使用される。すなわち、電力伝送受信機コイルは、電気エネルギーの供給を無線で受け取るように配置される。電力伝送受信機コイルは、二次元コイルまたは三次元コイルとしうる。
【００１０】
「電子装置」という用語は、本明細書では、少なくとも一つの電力伝送受信機コイルから電気エネルギーの供給を受け取るように構成された、１つ以上の電気的構成要素を意味するのに使用される。電子装置は、単一の電気的な構成要素でもよく、あるいは電子装置は１つ以上の電気回路を形成するように配置された複数の電子的な構成要素を含んでもよい。電子装置は、電子装置を少なくとも一つの電力伝送受信機コイルに電気的に接続するための、１つ以上の端子を含む。
【００１１】
本発明による容器上の電子装置は、有利なことに、製造者が消費者と通信するための新しい手段を提供する。その上、容器内部にあるラッパー上に提供された無線の電力伝送受信機コイルを介して電子装置に動力供給することで、既存の製造の工程および機械類に対して最小限の修正をするだけで容器の製造が容易になる。特に、導電層は複数層から成るラッパーの層を形成し、また担体層の表面に直接貼り付けられる。これにより、金属被覆が提供されるセルロース系または膜状の下層を持つ複数層のラッパーなど、こうした複数層のラッパーを形成するために存在する既存の製造の工程および機械類に対して最小限の修正しか加えずに、導電層および担体層が形成されるようになる。
【００１２】
また無線の電力伝送受信機コイルを利用することで、各容器内で潜在的に大規模、大量かつ高価な電力供給を提供する必要もなくなる。代わりに、本発明による複数の容器に電力供給するために単一の外部無線電源が使用されうる。例えば、外部無線電源が小売店内にある販売場所に組み込まれる場合、容器が販売場所に陳列される前に容器が輸送および貯蔵されている間は、電子装置は起動できない。
【００１３】
少なくとも一つの電力伝送受信機コイルは、包装された消費財の束の１つの壁のみに供給されてもよい。この場合には、少なくとも一つの電力伝送受信機コイルは、最大の表面積を持つ壁上に提供されることが好ましい。例えば、従来的なヒンジリッドボックスに類似した寸法を持つ容器では、少なくとも一つの電力伝送受信機コイルは、包装された消費財の束の前部壁または後部壁上に提供されることが好ましい。
【００１４】
別の方法として、少なくとも一つの電力伝送受信機コイルは、包装された消費財の束の２つ以上の壁上に提供されてもよい。好ましい一つの実施形態で、包装された消費財の束は、前部壁、後部壁、上部壁、底部壁および２つの側壁を含み、少なくとも一つの電力伝送受信機コイルは、２つまたは３つの壁上に提供される。
【００１５】
包装された消費財の束の複数の壁に、少なくとも一つの電力伝送受信機コイルを提供することにより、無線電源について異なる向きの容器を収容できる。したがって、特に好ましい実施形態において、少なくとも一つの電力伝送受信機コイルが提供される壁は向かい合っていない壁である。すなわち、少なくとも一つの電力伝送受信機コイルが提供されるそれぞれの壁は、少なくとも一つの電力伝送受信機コイルが提供される他のどの壁とも向かい合わない。
【００１６】
本発明による容器の構成要素の相対的位置を説明するために使用される「前部」「後部」「上部」「底部」「側面」という用語およびその他の用語は、消費財が取り出される開口部が上部端にある、直立位置にある容器について言及するものである。一部の実施形態では、容器はリッドを備えうる。リッドは、容器の裏にあるヒンジ線の周りで移動可能であることが好ましい。
【００１７】
少なくとも一つの電力伝送受信機コイルが包装された消費財の束の複数の壁に提供される実施形態では、少なくとも一つの電力伝送受信機コイルは、容器の複数の壁の上に延びる単一の電力伝送受信機コイルを備えうる。別の方法として、少なくとも一つの電力伝送コイルは、それぞれが包装された消費財の束の異なる壁上に実質的に提供された複数の電力伝送受信機コイルを備えうる。例えば、少なくとも一つの電力伝送受信機コイルは、包装された消費財の束の前部壁上に実質的に提供された第一の電力伝送受信機コイルと、包装された消費財の束の側壁上に実質的に提供された第二の電力伝送受信機コイルと、包装された消費財の束の底部壁上に実質的に提供された第三の電力伝送受信機コイルとを備えうる。
【００１８】
それぞれの電力伝送受信機コイルは単一の壁上に実質的に提供されてもよいが、各コイルのそれぞれの端部にある電気的な端子は異なる壁上に延びてもよい。例えば、前記のとおり第一、第二および第三の電力伝送受信機コイルを含む実施形態では、第二および第三の電力伝送受信機コイルのそれぞれの端部にある端子は、すべての電力伝送受信機コイル端子が包装された消費財の束の前部壁上に提供されるように、包装された消費財の束の包装された消費財の束の前部壁上に延びてもよい。すべての端子を包装された消費財の束の単一の壁に提供することで、電子装置への端子の接続が促進されうる。
【００１９】
上記の任意の実施形態において、外側ハウジングは包装された消費財の束に面した内部表面を備えうるが、ここで電子装置と少なくとも一つの電力伝送受信機コイルとの間の接続は、外側ハウジングの内部表面の下にあり、また電子装置の少なくとも一部は容器の外側から見える。例えば、電子装置は、外側ハウジングの外側表面に取り付けられた１つ以上の電子構成要素と、外側ハウジングにある１つ以上の開口部を貫いて延び、かつ１つ以上の電子構成要素を外側ハウジングの内部表面にある少なくとも一つの電力伝送コイルに電気的に接続する１つ以上のワイヤーまたはその他の導電性要素とを備えうる。別の方法として、電子装置は外側ハウジングの内部表面に取り付けてもよく、ここで外側ハウジングは電子装置が容器の外側から見える開口部を含む。
【００２０】
上記の任意の実施形態において、電子装置は、消費者に情報を伝達するか、または情報の伝達を促すように構成されることが好ましい。例えば、電子装置は、消費者に、視覚信号、音声信号、触覚信号のうち少なくとも一つを伝達するように構成されうる。電子装置は、電子発光装置、電気音響装置、電気機械装置のうち少なくとも一つを備えていることが好ましい。例えば、電子装置は、発光ダイオード、電子発光パネル、スピーカー、圧電装置、液晶表示ディスプレイ、およびモーターのうち１つ以上を備えうる。
【００２１】
さらに、電子装置は、消費者が電子装置を有効化または無効化できるようにするスイッチを備えうる。例えば、スイッチは、機械式スイッチまたはソリッドステートスイッチとしうる。ソリッドステートスイッチの場合、スイッチは、消費者の接触を感知するように配置された抵抗性または容量性のセンサーを使用して起動されうる。
【００２２】
上記の任意の実施形態において、電子装置は類似した容器上の電子装置と相互作用するための手段を備えうる。例えば、電子装置は、別の容器上にある対応する導電性の電気的インターフェースと接続するように配置された導電性の電気的インターフェースを備えうる。さらに、または別の方法として、２つ以上の容器にある電子装置は相互に無線で相互作用する手段を備えうる。これらの任意の実施形態において、別の容器にある電子装置との相互作用によってのみ完全に起動されるように、それぞれの電子装置は配置されうる。例えば、各容器にある電子装置が導電性の電気的インターフェースを備える実施形態では、電子装置は、２つ以上の容器にある導電性の電気的インターフェースが相互に接続された時にのみ電気回路が完成するように配置されてもよい。
【００２３】
上記の任意の実施形態において、容器はコンデンサーや電池などの充電可能な装置をさらに備えうるが、ここで充電可能な装置は、少なくとも一つの電力伝送受信機コイルからの電気エネルギーの供給を受けて蓄えるように配置され、また充電可能な装置はその後で蓄えた電気エネルギーの供給を電子装置に伝送するように配置される。例えば、容器は、販売場所で時間的に変化する磁場内に置かれた時に電気的充電を蓄えるように配置された電池を備えうる。これにより、有利なことに電気エネルギーの供給が蓄えられ、容器が時間的に変化する磁場から除去された後で、電子装置が引き続き機能するようになる。その上、製造時に予め充電されて、消費者に届く前の貯蔵および輸送中にその充電が失われかねないような電池を提供する必要もなくなる。それらの特徴の一方または両方を充電可能な装置と組み合わせることで、消費者に電子装置をどの時点で起動するかの選択肢を提供できるため、充電可能な装置を提供することは、電子装置が少なくとも一つのスイッチおよび類似した容器にある電子装置と相互作用するための手段を備える実施形態では特に有利である。
【００２４】
少なくとも一つの電力伝送受信機コイルを形成する少なくとも一つの導電層は、適切な任意の導電性材料を備えうる。特に適切な導電性材料には、アルミニウム、銅、銀、黒鉛、およびその組み合わせが含まれる。
【００２５】
少なくとも一つの導電層は、予め形成して、その後で少なくとも一つの担体層の表面に直接貼り付けてもよい。別の方法として、少なくとも一つの導電層は、少なくとも一つの導電層が少なくとも一つの担体層上に形成されるように、少なくとも一つの担体層に直接配置された材料から形成されてもよい。
【００２６】
少なくとも一つの導電層は、担体層の表面に貼り付けられた単一の導電層を備えてもよい。この場合には、単一の導電層は、少なくとも一つの電力伝送受信機コイルと電子装置との接続を容易にするために、包装された消費財の束の外側表面を形成する担体層の表面に貼り付けられることが好ましい。別の方法として、少なくとも一つの導電層は、担体層の第一の表面に貼り付けられた第一の導電層と、第二の担体層の表面に貼り付けられた第二の導電層とを備えうる。なおさらなる別の方法として、層状ブランクは、複数の担体層および複数の導電層を備えてもよい。当業者は、包装された消費財の束のサイズおよび形状、無線電源のタイプおよび電力、無線電源に対する容器の向き、および容器上にある電子装置のタイプに応じて、導電層、担体層および電力伝送受信機コイルの特定の構成を選択できる。
【００２７】
１つ以上の導電層がラッパーの内側および外側の表面の一方または両方にある少なくとも一つの電力伝送コイルを形成する実施形態において、絶縁層は、導電層を容器のその他の部分から絶縁するために、実質的に１つ以上の導電層全体に貼り付けられうる。こうした絶縁層は、上記の通り、１つ以上の電力伝送受信機コイルを電子装置に電気的に接続するための１つ以上の端子を除いて、導電層全体を覆うことが好ましい。適切な絶縁材料には、ポリエチレンテレフタラート、ポリプロピレン、ポリエチレン、ポリ（３，４−エチレンジオキシチオフェン）ポリスチレンスルホン酸塩、ポリイミドなどのプラスチック材料が含まれる。さらに、または別の方法として、絶縁材料には、電気絶縁インクなどの１つ以上の油性材料が含まれうる。
【００２８】
上記の任意の実施形態において、少なくとも一つの担体層は、少なくとも導電層が貼り付けられる少なくとも一つの表面を含むことが好ましく、ここで、少なくとも一つの表面はＩＳＯ  ８７９１−４に従い測定した約２マイクロメートル未満のパーカプリントサーフ粗さを持つことが好ましい。約２マイクロメートル未満のパーカプリントサーフ粗さは、特に、導電性材料が担体層に直接配置されて、担体層上に少なくとも一つの導電層を形成する実施形態で、担体層への少なくとも一つの導電層の貼り付けを最適化する滑らかな表面を提供する。少なくとも一つの担体層を形成する材料は、本質的に約２マイクロメートル未満のパーカプリントサーフ粗さを持つ表面を持ちうる。別の方法として、担体層を形成する材料の表面に被覆（ラッカーなど）を貼り付けて、要求される滑らかさを提供しうる。
【００２９】
少なくとも一つの担体層を形成するための適切な材料には、セルロース系材料、フィルム状の材料、およびその組み合わせが含まれる。
【００３０】
本発明による容器には、喫煙物品などの細長い消費財用の容器としての特定の用途がある。したがって、上記の任意の実施形態において、消費財の束は、例えば、紙巻たばこ、葉巻たばこまたはシガリロなどの複数の喫煙物品を備えうる。当然のことながら、その寸法を適切に選択することにより、本発明による容器は、異なる数の従来サイズ、キングサイズ、スーパーキングサイズ、スリムまたはスーパースリムの紙巻たばこ用に設計しうる。
【００３１】
その寸法の適切な選択によって、本発明による容器は、異なる合計数の喫煙物品、または異なる配置の喫煙物品を保持するよう設計しうる。例えば、その寸法の適切な選択によって、本発明による容器は、合計１０〜３０の喫煙物品を保持するよう設計しうる。
【００３２】
容器内の喫煙物品は、喫煙物品の合計数に応じて、異なる並べ方で配置しうる。例えば、喫煙物品は、６、７、８、９または１０個の１列で配置しうる。別の方法として、喫煙物品は２列以上で配置しうる。２列以上の列は、同一の数の喫煙物品を含みうる。例えば、喫煙物品は、５、６、７、８、９もしくは１０個の２列、５もしくは７個の３列、または４、５もしくは６個の４列で配置しうる。別の方法として、２列以上の列は、互いに異なる数の喫煙物品を含む少なくとも２列を含みうる。例えば、喫煙物品は、５個の１列および６個の１列（５−６）、６個の１列および７個の１列（６−７）、７個の１列および８個の１列（７−８）、５個の中央の１列および６個の両外側の２列（６−５−６）、５個の中央の１列および７個の両外側の２列（７−５−７）、６個の中央の１列および５個の両外側の２列（５−６−５）、６個の中央の１列および７個の両外側の２列（７−６−７）、７個の中央の１列および６個の両外側の２列（６−７−６）、９個の中央の１列および８個の両外側の２列（８−９−８）、または６個の中央の１列、５個の一方の外側の１列および７個の一方の外側の１列（５−６−７）で配置しうる。
【００３３】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ｍｍ〜約１８０ｍｍ）、直径（例えば、約４ｍｍ〜約９ｍｍ）の喫煙物品も含みうる。さらに、喫煙物品は、味覚の強度、引き出し抵抗および合計粒子状物質の送達が異なりうる。容器の寸法は、喫煙物品の長さ、および喫煙物品の並べ方に適合させることが好ましい。容器の外側寸法は通常、容器内に収容された喫煙物品の束の寸法よりも約０．５ｍｍ〜約５ｍｍだけ大きい。
【００３４】
本発明による容器の長さ、幅および奥行きは、閉位置での容器の結果的な全体的寸法が、２０本の紙巻たばこの典型的な使い捨てヒンジ−リッドパックの寸法と類似するような寸法としうる。
【００３５】
本発明による容器の高さは約６０ｍｍ〜約１５０ｍｍであることが好ましく、高さが約７０ｍｍ〜約１２５ｍｍであることがより好ましいが、ここで高さは容器の外側で、上部壁から底部壁までを測定したものである。
【００３６】
本発明による容器の幅は約１２ｍｍ〜約１５０ｍｍであることが好ましく、幅が約７０ｍｍ〜約１２５ｍｍであることがより好ましいが、ここで幅は容器の外側、一方の側壁から他方の側壁までを測定したものである。
【００３７】
本発明による容器の奥行きは約６ｍｍ〜約１００ｍｍであることが好ましく、奥行きが約１２ｍｍ〜約２５ｍｍであることがより好ましいが、ここで奥行きは容器の外側で、前部壁から後部壁までを測定したものである。
【００３８】
容器の高さ対容器の奥行きの比は、約０．３対１〜約１０対１であることが好ましく、約２対１〜約８対１であることがさらに好ましく、約３対１〜５対１であることが最も好ましい。
【００３９】
容器の幅対容器の奥行きの比は、約０．３対１〜約１０対１であることが好ましく、約２対１〜約８対１であることがさらに好ましく、約２対１〜３対１であることが最も好ましい。
【００４０】
喫煙物品の束を収容するだけでなく、容器はさらに、例えば、マッチ、ライター、消火手段、口臭フレッシュまたは電子装置などのその他の消費財を含みうる。その他の消費財は、容器の外側に取り付けるか、容器内に喫煙物品に沿って容器の別の区画内に含めるか、またはその組み合わせとしうる。
【００４１】
本発明による容器の外部表面は、製造元またはブランドのロゴ、商標、スローガンおよびその他の消費者情報およびしるしで、印刷、エンボス加工、デボス加工またはその他の方法で装飾しうる。
【００４２】
本発明はまた、本発明の第一の態様に従い、消費財の容器上に提供された電子装置を作動させるためのシステムにも及ぶ。したがって、本発明の第二の態様によれば、消費財の容器上に提供された電子装置を作動させるためのシステムが提供されており、システムは、上記の任意の実施形態による消費財の容器と、時間的に変化する磁場を発生するように構成された電力伝送送信機とを備える。時間的に変化する磁場には、消費財の容器が時間的に変化する磁場内に位置付けられた時の、少なくとも一つの電力伝送受信機コイル内の電気エネルギーの供給が含まれる。
【００４３】
電力伝送送信機は、適切な電気エネルギーの供給（本線電力供給）に接続された電力送信コイルが含まれることが好ましい。使用時、交流電流が電力送信コイルを通過し、時間的に変化する磁場を発生させる。電力送信コイルの自然共鳴は、送信コイルおよび受信コイルの共振結合がシステムの作動中に誘導されるように、容器内の少なくとも一つの電力伝送受信機コイルの自然共鳴と実質的に同一であることが好ましい。
【００４４】
電力伝送送信機は、容器が小売店で陳列される棚またはキャビネットにある販売場所の装置に組み込まれうる。
【００４５】
本発明はまた、上述した実施形態のいずれかによる消費財の容器を形成する方法にも及ぶ。したがって、本発明の第三の態様によれば、消費財の容器を形成する方法が提供されており、方法は、少なくとも一つの電力伝送受信機コイルを少なくとも一つの担体層の表面上に直接貼り付けて、第一の複数層の層状ブランクを形成する工程が含まれ、ここで少なくとも一つの電力伝送受信機コイルは、電気エネルギーの供給を無線で受け取るように構成される。第一の複数層の層状ブランクは、１つ以上の消費財の周りに折り畳まれて、包装された消費財の束を形成するが、ここで折り畳まれた第一の複数層の層状ブランクはラッパーを形成する。電子装置は、第二の層状ブランク上に提供され、第二の層状ブランクは、包装された消費財の束の周りに配置されて外側ハウジングに形成される。電子装置は、少なくとも一つの電力伝送受信機コイルに接続されて、電気エネルギーの供給を受け取る。
【００４６】
上記で方法の工程が説明されている順序は、限定的であることは意図されていない。例えば、少なくとも一つの担体層は、少なくとも一つの電力伝送受信機コイルが少なくとも一つの担体層上に提供されてラッパーを形成する前に、１つ以上の消費財の周りに折り畳まれうる。さらに、または別の方法として、電子装置は、包装された消費財の束の周りに配置されて外側ハウジングに形成された後で、第二の層状ブランク上に提供されうる。
【００４７】
一部の実施形態で、第二の層状ブランクは、包装された消費財の束の周りに折り畳まれて外側ハウジングを形成する。別の方法として、第二の層状ブランクは、その中に包装された消費財の束が挿入される外側ハウジングを形成するために折り畳まれてもよい。
【００４８】
少なくとも一つの電力伝送受信機コイルを少なくとも一つの担体層の表面上に貼り付ける工程は、少なくとも一つの電力伝送受信機コイルを少なくとも一つの導電層から形成する工程と、その後で少なくとも一つの電力伝送受信機コイルを少なくとも一つの担体層の表面上に直接貼り付けて、第一の複数層の層状ブランクを形成する工程とを含みうる。
【００４９】
別の方法として、少なくとも一つの電力伝送受信機コイルを少なくとも一つの担体層に貼り付ける工程は、導電性材料の少なくとも一つの層を少なくとも一つの担体層の表面上に配置させて、第一の複数層の層状ブランクを形成する工程を含みうる。これらの実施形態において、導電性材料の少なくとも一つの層を配置させる工程は、輪転式グラビア印刷、オフセット印刷、フレキソ印刷、インクジェット印刷、スクリーン印刷、箔押し、冷間箔押し、転送金属化、および直接金属化のうち少なくとも一つを含みうる。少なくとも一つの電力伝送受信機コイルを少なくとも一つの担体層の表面上に直接形成することが好ましい場合があり、特に、少なくとも一つの電力伝送受信機コイルが比較的薄い導電性トラックから形成され、少なくとも一つの電力伝送受信機コイルが予め形成されてから少なくとも一つの担体層に貼り付けられた場合に破損しやすい実施形態で好ましい。少なくとも一つの導電層を形成するための適切な材料には、アルミニウム、銅、銀、黒鉛、およびその組み合わせが含まれる。
【００５０】
上記の任意の実施形態において、少なくとも一つの電力伝送受信機コイルを提供する工程は、少なくとも一つの電力伝送受信機コイルを少なくとも一つの担体層の少なくとも一つの表面に提供する工程を含みうるが、ここで少なくとも一つの表面は、ＩＳＯ  ８７９１−４に従い測定された約２マイクロメートル未満のパーカプリントサーフ粗さを持つ。
上記の通り、約２マイクロメートル未満のパーカプリントサーフ粗さは、少なくとも一つの導電層の担体層への貼付けを最適化する滑らかな表面を提供するが、特に、導電性材料が担体層状に直接配置されて少なくとも一つの電力伝送受信機コイルが形成される実施形態でそのような表面が提供される。少なくとも一つの担体層を形成する材料は、本質的に約２マイクロメートル未満のパーカプリントサーフ粗さを持つ表面を持ちうる。別の方法として、担体層を形成する材料の表面に被覆（ラッカーなど）を貼り付けて、要求される滑らかさを提供しうる。
【００５１】
上記の任意の実施形態において、方法は、第一の複数層の層状ブランクおよび第二の層状ブランクのうち少なくとも一つの上に導電性の接着剤を提供する工程をさらに備えうるが、ここで、第二の層状ブランクを包装された消費財の束の周りに配置する工程により、導電性の接着剤が少なくとも一つの電力伝送受信機コイルおよび電子装置の両方と接触するようになり、導電性の接着剤が電子装置を少なくとも一つの電力伝送受信機コイルと電気的に接続するようになる。導電性の接着剤を使用することで、電子装置と少なくとも一つの電力伝送受信機コイルとの間での信頼性があり確実な電気的接続を促進できる。適切な導電性の接着剤には、Ｈｅｎｋｅｌ  ＡＧ  ＆  Ｃｏｍｐａｎｙ、ＫＧａＡ（ドイツ・デュッセルドルフ市）製のＨｙｓｏｌ  ＥｃｃｏｂｏｎｄまたはＡｂｌｅｓｔｉｋ  Ａｂｌｅｂｏｎｄブランドで商業的に入手可能なものなど、各種のエポキシ系接着剤が含まれる。
【００５２】
上記の任意の実施形態において、少なくとも一つの電力伝送受信機コイルは、包装された消費財の束の１つの壁のみに供給されてもよい。別の方法として、少なくとも一つの電力伝送受信機コイルは、包装された消費財の束の２つ以上の壁上に提供されてもよい。好ましい一つの実施形態で、包装された消費財の束は、前部壁、後部壁、上部壁、底部壁および２つの側壁を含み、少なくとも一つの電力伝送受信機コイルは、２つまたは３つの壁上に提供される。
【００５３】
包装された消費財の束の複数の壁に、少なくとも一つの電力伝送受信機コイルを提供することにより、無線電源について異なる向きの容器を収容できる。したがって、特に好ましい実施形態において、少なくとも一つの電力伝送受信機コイルが提供される壁は向かい合っていない壁である。すなわち、少なくとも一つの電力伝送受信機コイルが提供されるそれぞれの壁は、少なくとも一つの電力伝送受信機コイルが提供される他のどの壁とも向かい合わない。
【００５４】
少なくとも一つの電力伝送受信機コイルが包装された消費財の束の複数の壁に提供される実施形態では、少なくとも一つの電力伝送受信機コイルは、容器の複数の壁の上に延びる単一の電力伝送受信機コイルを備えうる。別の方法として、少なくとも一つの電力伝送コイルは、それぞれが包装された消費財の束の異なる壁上に実質的に提供された複数の電力伝送受信機コイルを備えうる。例えば、少なくとも一つの電力伝送受信機コイルは、包装された消費財の束の前部壁上に実質的に提供された第一の電力伝送受信機コイルと、包装された消費財の束の側壁上に実質的に提供された第二の電力伝送受信機コイルと、包装された消費財の束の底部壁上に実質的に提供された第三の電力伝送受信機コイルとを備えうる。
【００５５】
それぞれの電力伝送受信機コイルは単一の壁上に実質的に提供されてもよいが、各コイルのそれぞれの端部にある電気的な端子は異なる壁上に延びてもよい。例えば、前記のとおり第一、第二および第三の電力伝送受信機コイルを含む実施形態では、第二および第三の電力伝送受信機コイルのそれぞれの端部にある端子は、すべての電力伝送受信機コイル端子が包装された消費財の束の前部壁上に提供されるように、包装された消費財の束の包装された消費財の束の前部壁上に延びてもよい。すべての端子を包装された消費財の束の単一の壁に提供することで、電子装置への端子の接続が促進されうる。
【００５６】
ここで、以下の図面を参照しながら本発明をさらに説明するが、これは例証としてのみである。
【図面の簡単な説明】
【００５７】
【図１】図１は、本発明の実施形態による包装された消費財の束を示す。
【図２】図２は、図１に図示された包装された消費財の束を含む容器を示す。
【発明を実施するための形態】
【００５８】
図１は、本発明の実施形態による包装された消費財の束１０を示す。包装された消費財の束１０は、紙の担体層１２および導電層１３を含み、導電層１３は、包装された消費財の束１０の前部壁の外側表面上に電力伝送受信機コイル１４を形成する。担体層１２および導電層１３は、消費財の束の周りに包装されたラッパー１６をまとめて形成する。担体層１２にある穿孔線１８は、包装された束の内側にある消費財へのアクセスを得るために消費者によって除去可能なプルタブを形成する。
【００５９】
電力伝送受信機コイル１４は、導電性トラックの各端部で形成される電気的接続端子２０を持つ、平坦ならせん状に巻かれた導電性トラックを備える。
【００６０】
図２は、ボックス部分３２と、容器３０の後部壁を横切って延びるヒンジ線に沿ってボックス部分３２から垂れ下がるリッド部分３４とを備えた外側ハウジング３１を備える消費財の容器３０を示す。内側フレーム３６は、ボックス部分３２の内部表面に接続され、それに対してリッド部分３４が閉じる表面が提供される。
【００６１】
図１に示されている包装された消費財の束１０は、ボックス部分３２内に受けられる。電力伝送受信機コイル１４の電気的接続端子２０は、ボックス部分３２の前部壁４０上に提供された電子装置３８に接続される。この実施形態において、電子装置３８は電子発光パネルを備えるが、当業者であれば、その他の電子装置を容器３０上に提供でき電力伝送受信機コイル１４に接続しうることを理解するであろう。
【００６２】
容器３０の構造を容易にするために、電子装置３８は、ボックス部分の前部壁４０の内部表面に取り付けられており、ボックス部分前部壁４２にある開口部４２を通して見える。容器３０が適切な時間的に変化する磁場内に配置されると、電力伝送受信機コイル１４内に電流が誘導され、電子装置３８に電力供給される。
【図１】
0006666895.tif 000002
【図２】
0006666895.tif 000003